(57)【要約】【課題】  勾配を有する水路を備えた水路構造物の上面の耐荷力にバラツキが生じることを防止できる水路構築用ブロックを提供する。【解決手段】  水路構築用ブロックは、所定厚さｔｃの頂版部２１ｃと一端から他端に及ぶ所定上下寸法ｄの流水路２１ａを有するブロック２１と、ブロック２１の流水路２１ａ内に敷設された状態で流水路２１ａの底面を構成すると共に該底面に所定の勾配を形成する勾配形成部材２２とを備える。【選択図】  図４
2008063824.tif 000002
【特許請求の範囲】
【請求項１】
所定厚さの頂版部と一端から他端に及ぶ所定上下寸法の流水路を有するブロックと、ブロックの流水路内に敷設された状態で流水路の底面を構成すると共に該底面に所定の勾配を形成する勾配形成部材とを備える、
ことを特徴とする水路構築用ブロック。
【請求項２】
請求項１に記載の水路構築用ブロックを互いの流水路が連続するように複数連結することによって構築されており、各ブロックの流水路内に敷設された勾配形成部材によって所定の水路勾配が形成されている、
ことを特徴とする水路構造物。
【発明の詳細な説明】
【技術分野】
【０００１】
本発明は、勾配を有する水路を備えた水路構造物を構築する際に有用な水路構築用ブロックとこれを用いた水路構造物に関する。
【背景技術】
【０００２】
図１は勾配を有する水路ＷＷを備えた水路構造物の一例を示すもので、該水路構造物１０は路面勾配に見合った図中右下がりの上面勾配Ｇｕと図中左下がりの水路勾配Ｇｗを有している。図１中の符号ＨＰは水平面を示すもので、実際上の上面勾配Ｇｕと水路勾配Ｇｗはそれぞれ数％程度である。
【０００３】
この水路構造物１０は、図２に示す形状のコンクリートブロック（以下、単にブロックと言う）１１を互いの流水路１１ａが連続するように複数連結することによって構築されている。
【０００４】
図１に示した複数のブロック１１のうち中央の３つのブロック１１は、流水路１１ａの上下寸法ｄがそれぞれ同じで且つ一定であり、底版部１１ｂの厚さｔｂもそれぞれ同じで且つ一定であるが、上面高さＨは各々の上面が所定の勾配をもって連なるように図中右方向に向かって徐々に小さくなっていて、各ブロック１１の頂版部１１ｃの厚さｔｃは上面勾配Ｇｕに準じてそれぞれ図中右方向に向かって徐々に小さくなっている。
【０００５】
また、図１に示した複数のブロック１１のうち両側の２つのブロック１１は、流水路１１ａの上下寸法ｄが異なる点と上面高さＨの平均値が異なる点で中央の３つのブロック１１と形状を相違している。図１には両側の２つのブロック１１に続くブロックの図示を省略してあるが、両側の２つのブロック１１にも各々のブロック１１と類似形状のブロックが複数連結されている。
【０００６】
水路構造物１０を構築する複数のブロック１１は図１に示すように図中左下がりに傾いた姿勢でそれぞれ設置されており、水路勾配Ｇｗは左下がりに連なる流水路１１ａの底によって形成され、上面勾配Ｇｕは右下がりに連なる各ブロック１１の上面によって形成される。
【特許文献１】特開平６−２５４８３２
【発明の開示】
【発明が解決しようとする課題】
【０００７】
前述の水路構造物１０にあっては、所定の勾配Ｇｗの水路ＷＷを得るために、頂版部１１ｃの厚さｔｃの平均値が異なり且つ厚さｔｃが流水路１１ａに沿って徐々に小さくなるものをブロック１１として用いている。
【０００８】
そのため、頂版部１１ｃの厚さｔｃの平均値が小さなブロック１１は該平均値がそれよりも大きなブロック１１に比べて耐荷力（強度）が劣ると共に、１つのブロック１１を見ても頂版部１１ｃの厚さｔｃに応じて耐荷力（強度）に違いが生じる。
【０００９】
依って、車両通過等によって水路構造物１０の上面に荷重が加わったときに、往々にして耐荷力の低い頂版部を有するブロックに亀裂発生や破損等の不具合を生じる恐れがある。この不具合は使用するブロック１１の頂版部１１ｃの厚さｔｃを全体的に厚くすることによって未然に防止することも可能であるが、ブロック１１自体の重量が増加して水路構造物１０を施工する際の障害となり且つ１ブロック当たりの単価が増してしまうため、コスト削減が望まれている現状にあっては得策とは言えない。
【００１０】
本発明は前記事情に鑑みて創作されたもので、その目的とするところは、勾配を有する水路を備えた水路構造物の上面の耐荷力にバラツキが生じることを防止できる水路構築用ブロック及びこれを用いた水路構造物を提供することにある。
【課題を解決するための手段】
【００１１】
前記目的を達成するため、本発明の水路構築用ブロックは、所定厚さの頂版部と一端から他端に及ぶ所定上下寸法の流水路を有するブロックと、ブロックの流水路内に敷設された状態で流水路の底面を構成すると共に該底面に所定の勾配を形成する勾配形成部材とを備える、ことをその特徴とする。
【００１２】
また、本発明の水路構造物は、前記水路構築用ブロック（勾配形成部材が敷設されたブロック）を互いの流水路が連続するように複数連結することによって構築されており、各ブロックの流水路内に敷設された勾配形成部材によって所定の水路勾配が形成されている、ことをその特徴とする。
【００１３】
前述の水路構築用ブロック及びこれを用いた水路構造物にあっては、所定の勾配を有する水路を得るために、頂版部の厚さが一定のものをブロックとして用い、該ブロックの流水路内に敷設して使用される勾配形成部材を用いている。
【００１４】
つまり、水路構造物を構築する複数のブロックとして頂版部の厚さが同じで且つ一定のものを用いることができるので、頂版部の耐荷力（強度）がブロック毎に異なることを防止できる。依って、車両通過等によって水路構造物の上面に荷重が加わったときでも、頂版部の厚さを原因として一部のブロックに亀裂や破損等の不具合を生じることを確実に防止できる。
【発明の効果】
【００１５】
本発明によれば、上面勾配とは異なる勾配を有する水路が有する水路構造物の上面の耐荷力にバラツキが生じることを防止できる水路構築用ブロック及びこれを用いた水路構造物を提供できる。
【００１６】
本発明の前記目的とそれ以外の目的と、構成特徴と、作用効果は、以下の説明と添付図面によって明らかとなる。
【発明を実施するための最良の形態】
【００１７】
図３は勾配を有する水路ＷＷを備えた水路構造物の一実施形態を示すもので、該水路構造物２０は路面勾配に見合った図中右下がりの上面勾配Ｇｕと図中左下がりの水路勾配Ｇｗを有している。図３中の符号ＨＰは水平面を示すもので、実際上の上面勾配Ｇｕと水路勾配Ｇｗはそれぞれ数％程度である。
【００１８】
この水路構造物２０を構築する際に用いられる水路構築用ブロックは、図４に示すように、所定厚さｔｃの頂版部２１ｃと一端から他端に及ぶ所定上下寸法ｄの流水路２１ａを有するコンクリートブロック（以下、単にブロックと言う）２１と、ブロック２１の流水路２１ａ内に敷設された状態で流水路２１ａの底面を構成すると共に該底面に所定の勾配を形成する勾配形成部材２２とを備えている。水路構造物２０は前記水路構築用ブロック（勾配形成部材２２が敷設されたブロック２１）を互いの流水路２１ａが連続するように複数連結することによって構築されており、各ブロック２１の流水路２１ａ内に敷設された勾配形成部材２２によって所定の水路勾配Ｇｗが形成されている。因みに、図４中の符号２１ｄは左側壁部、２１ｅは右側壁部、２１ｆは境界部（歩車道部）である。
【００１９】
図３に示した複数のブロック２１のうち中央の３つのブロック２１は、流水路２１ａの上下寸法ｄがそれぞれ同じで且つ一定であり、底版部２１ｂの厚さｔｂがそれぞれ同じで且つ一定であり、頂版部２１ｃの厚さｔｃがそれぞれ同じで且つ一定であり、上面高さＨがそれぞれ同じである。図３には同一形状の３つのブロック２１を中央に配したものを示してあるが、これらブロック２１の数は水路勾配Ｇｗ等に応じて適宜増減できる。
【００２０】
また、図３に示した複数のブロック２１のうち両側の２つのブロック２１は、流水路２１ａの上下寸法ｄが異なる点と上面高さＨが異なる点で中央の３つのブロック２１と形状を相違している。図３には両側の２つのブロック２１に続くブロックの図示を省略してあるが、両側の２つのブロック２１にも各々のブロック２１と同形状のブロックが複数連結されている。両側に配されるブロック２１の数も中央のブロック２１と同様に水路勾配Ｇｗ等に応じて適宜増減できる。
【００２１】
各ブロック２１に敷設される勾配形成部材２２は、ブロック２１と同様のコンクリート或いはプラスチックやセラミクス等の他の材料で形成されており、流水路２１ａの底の形状（断面Ｖ字形）に相似した形状（断面Ｖ字形）の上面２２ａと、流水路２１ａの底の形状（断面Ｖ字形）に合致した形状（断面Ｖ字形）の下面２２ｂを有している。また、勾配形成部材２２の幅は流水路２１ａの幅とほぼ一致していて、長さは流水路２１ａの長さとほぼ一致している。さらに、勾配形成部材２２の厚さｔは一端から他端に向かって徐々に大きくなっていてその上面２２ａに所定の勾配を有している。
【００２２】
図３から分かるように、各勾配形成部材２２の上面２２ａの勾配は全て同じであるが、各勾配形成部材２２の最大厚さ及び最小厚さは隣接する勾配形成部材２２の上面２２ａが所定の勾配をもって連なるように予め異なる厚さに設定されている。各ブロック２１の流水路２１ａ内に勾配形成部材２２を敷設した状態では、該勾配形成部材２２の上面２２ａによって流水路２１ａの底面が構成されると共に該底面に上面２２ａの傾きに準じた勾配が形成される。
【００２３】
各勾配形成部材２２を各ブロックの流水路２１内に敷設する方法には、勾配形成部材２２の下面２２ｂとブロック２１の流水路２１ａの底の少なくとも一方にエポキシ樹脂等を主成分とする接着剤を塗布し、勾配形成部材２２の下面２２ｂを流水路２１ａの断面Ｖ字形の底に嵌め込むようにして載置し、接着剤を硬化させて勾配形成部材２２をブロック２１と一体化させる方法が好ましく採用できる。また、勾配形成部材２２の敷設には接着剤を使用しない方法も採用でき、例えば、相互嵌合を可能とした凹部と凸部の一方を勾配形成部材２２の下面２２ｂに予め形成し他方を流水路２１ａの底に予め形成しておき、両者の凹凸嵌合によって勾配形成部材２２を流水路２１ａ内に敷設するようにすれば、接着剤を使用しなくとも勾配形成部材２２の敷設を行える。この場合に接着剤を併用すれば勾配形成部材２２とブロック２１の一体化をより強固に行うことができる。
【００２４】
水路構造物２０を構築する複数の水路構築用ブロック（勾配形成部材２２が敷設されたブロック２１）は図３に示すように図中右下がりに傾いた姿勢でそれぞれ設置されており、水路勾配Ｇｗは左下がりに連なる勾配形成部材２２の上面２２ａによって形成され、上面勾配Ｇｕは右下がりに連なる各ブロック２１の上面によって形成される。
【００２５】
前述の水路構築用ブロック及びこれを用いた水路構造物２０にあっては、上面勾配Ｇｕとは異なる所定の勾配Ｇｗを有する水路ＷＷを得るために、頂版部２１ｃの厚さｔｃが一定のものをブロック２１として用い、該ブロック２１の流水路２１ａ内に敷設して使用される勾配形成部材２２を用いている。
【００２６】
つまり、水路構造物２０を構築する複数のブロック２１として頂版部２１ｃの厚さｔｃが同じで且つ一定のものを用いることができるので、頂版部２１ｃの耐荷力（強度）がブロック２１毎に異なることを防止できる。依って、車両通過等によって水路構造物２０の上面に荷重が加わったときでも、頂版部２１ｃの厚さｔｃを原因として一部のブロック１１に亀裂や破損等の不具合を生じることを確実に防止できる。
【００２７】
また、ブロック２１の流水路２１ａ内に敷設された勾配形成部材２２によって所定の水路勾配Ｇｗを得ているので、該水路勾配Ｇｗを得るためにブロック２１の底版部２１ｂの厚さｔｂや頂版部２１ｃの厚さｔｃを可変する場合に比べて、ブロック２１自体の重量を軽減できると共に１ブロック当たりの単価を低減できる。
【００２８】
さらに、勾配形成部材２２はブロック２１と別体で用意されるものであるので、上面２２ａの勾配が異なる勾配形成部材２２を使用することによって任意の勾配Ｇｗの水路ＷＷを簡単に得ることができる。
【００２９】
さらにまた、勾配形成部材２２をブロック２１を同じ材料で形成する必要はないので、該材料を選択することによって勾配形成部材２２それ自体の重量及び単価、ひいては水路構築用ブロックそれ自体の重量及び単価を抑制できる。
【００３０】
図５は勾配を有する水路ＷＷを備えた水路構造物の他の実施形態を示すもので、該水路構造物２０’は路面勾配に見合った図中右下がりの上面勾配Ｇｕと図中右下がりの水路勾配Ｇｗを有しており、水路勾配Ｇｗは上面勾配Ｇｕよりも大きい。図５中の符号ＨＰは水平面を示すもので、実際上の上面勾配Ｇｕと水路勾配Ｇｗはそれぞれ数％程度である。
【００３１】
この水路構造物２０’を構築する際に用いられる水路構築用ブロック（勾配形成部材２２が敷設されたブロック２１）が図３及び図４に示した水路構築用ブロックと異なるところは、ブロック２１の流水路２１ａ内に敷設される勾配形成部材２２の向きを１８０度変化させた点にある。
【００３２】
つまり、ブロック２１の流水路２１ａ内に敷設される勾配形成部材２２の向きを１８０度変化させることによって、水路勾配Ｇｗの向きを１８０度異ならせることでき、また、上面２２ａの勾配が異なる勾配形成部材２２を使用することによって任意の勾配Ｇｗの水路ＷＷを得ることができる。他の作用効果は図３及び図４に示した水路構築用ブロック及び水路構造物と同じである。
【００３３】
尚、図３及び図４の示した実施形態と図５に示した実施形態では同一形状のブロック２１を中央に複数配しその両側に流水路２１ａの上下寸法ｄが異なるブロック２１を複数配したものを例示したが、両側の複数のブロック２１のさらに両側に上下寸法ｄが異なるブロック２１を複数配してもよく、水路構造物２０，２０’の全長が短い場合等には単一形状のブロック２１のみで水路ＷＷを構成することも可能である。
【００３４】
また、図３及び図４の示した実施形態と図５に示した実施形態では数％の上面勾配Ｇｕを有する水路構造物２０，２０’を例示したが、上面勾配Ｇｕが０％となるように水路構築用ブロックを設置しても勾配形成部材２２の存在によって所定の勾配Ｇｗを有する水路ＷＷを備えた水路構造物を構築することができ、前記同様の作用効果を得ることができる。
【００３５】
さらに、図３及び図４の示した実施形態と図５に示した実施形態では各ブロック２１の流水路２１ａの底の形状と各勾配形成部材２２の下面２２ｂの形状を互いが合致可能な断面Ｖ字形としたが、各ブロック２１の流水路２１ａの底と各勾配形成部材２２の下面２２ｂをそれぞれ平坦としても流水路２１ａ内への勾配形成部材２２の敷設を行えることは言うまでもない。
【図面の簡単な説明】
【００３６】
【図１】従来例を示す、勾配を有する水路を備えた水路構造物の縦断面図である。
【図２】図１に示したブロックの斜視図である。
【図３】本発明の一実施形態を示す、勾配を有する水路を備えた水路構造物の縦断面図である。
【図４】図３に示したブロック及び勾配形成部材の斜視図である。
【図５】本発明の他の実施形態を示す、勾配を有する水路を備えた水路構造物の縦断面図である。
【符号の説明】
【００３７】
２０，２０’…水路構造物、２１…ブロック、２１ａ…ブロックの流水路、２１ｂ…ブロックの底版部、２１ｃ…ブロックの頂版部、ｄ…流水路の上下寸法、ｔｂ…底版部の厚さ、ｔｃ…頂版部の厚さ、Ｈ…ブロックの上面高さ、２２…勾配形成部材、２２ａ…勾配形成部材の上面、２２ｂ…勾配形成部材の下面、ｔ…勾配形成部材の厚さ。
【図１】
2008063824.tif 000003
【図２】
2008063824.tif 000004
【図３】
2008063824.tif 000005
【図４】
2008063824.tif 000006
【図５】
2008063824.tif 000007